(57)【要約】【課題】使用中にヘルメット用表示具がヘルメットから脱落しにくく、また、識別ラベルの取り付けおよび取り外しが容易なヘルメット用表示具を提供する。【解決手段】帯状のバンド部１，２の両端にフック３を設けてヘルメットに係止するヘルメット用表示具であって、帯状のバンド部１，２は、複数の帯状体からなり、好ましくは、バンド部２には、ヘルメット着用者の識別ラベル４が取り付けられている。【選択図】図１
0003203854.tif 000002
【実用新案登録請求の範囲】
【請求項１】
帯状のバンド部の両端にフックを設けてヘルメットに係止するヘルメット用表示具であって、前記帯状のバンド部は、複数の帯状体からなることを特徴とするヘルメット用表示具。
【請求項２】
前記バンド部には、ヘルメット着用者の識別ラベルが取り付けられていることを特徴とする請求項１に記載のヘルメット用表示具。
【請求項３】
前記識別ラベルは、前記バンド部が貫通している識別ラベルホルダーに取り付けられていることを特徴とする請求項１または請求項２に記載のヘルメット用表示具。
【考案の詳細な説明】
【技術分野】
【０００１】
本考案は、帯状のバンド部の両端にフックを設けてヘルメットに係止するヘルメット用表示具に関する。具体的には、工事現場等で作業員のヘルメットに取り付けて使用され、工事作業員の職種や熟練度等を色によって表示し識別するヘルメット用表示具に関する。
【背景技術】
【０００２】
工事現場等では、新規入場教育後、作業員のヘルメットに氏名等を記入したシールを貼って作業員の職種や熟練度等を表示し識別している。
【０００３】
このシールを用いる方法では、他の工事現場のシールが貼られている場合があり、作業員の識別ができない場合がある。
【０００４】
そこで、帯状のバンド部の両端にフックを設けてヘルメットに係止するヘルメット用表示具が考案されている（例えば、特許文献１参照）。
【０００５】
このヘルメット用表示具は、フックにより、ヘルメットの縁に係止することができるため、表示具を取り替えて異なる色のバンド部を有する表示具にすることができるうえ、シールの貼付によりヘルメットを汚すこともない。
【先行技術文献】
【特許文献】
【０００６】
【特許文献１】実用新案登録第３１４９４０３号公報
【考案の開示】
【考案が解決しようとする課題】
【０００７】
しかしながら、バンド部の色による識別は、識別できる職種や熟練度の数に限りがあり、十分な種類の識別ができないという問題点があった。
【０００８】
本考案は、前記事情に鑑みて為されたもので、使用中にヘルメット用表示具がヘルメットから脱落しにくく、また、識別ラベルの取り付けおよび取り外しが容易なヘルメット用表示具を提供することを課題とする。
【課題を解決するための手段】
【０００９】
前記目的を達成するために、本考案のヘルメット用表示具は、帯状のバンド部は、複数の帯状体からなることを特徴とする。
本考案においては、バンド部がヘルメットＨに密着するので使用中にヘルメット用表示具がヘルメットＨから脱落しにくい。
【００１０】
本考案においては、帯状のバンド部の両端にフックを設けてヘルメットに係止するヘルメット用表示具であって、バンド部には、ヘルメット着用者の識別ラベルが取り付けられていることが好ましい。
これにより、識別ラベルをバンド部とともに取り付け、取り外しできる。
【００１１】
本考案の上記構成において、識別ラベルは、バンド部が貫通している識別ラベルホルダーに取り付けられていることが好ましい。
これにより、識別ラベルを識別ラベルホルダーとともに取り付け、取り外しできる。
【考案の効果】
【００１２】
本考案によれば、使用中にヘルメット用表示具がヘルメットから脱落しにくい。
また、識別ラベルの取り付けおよび取り外しが容易なヘルメット用表示具を提供することができる。
【図面の簡単な説明】
【００１３】
【図１】本考案の実施の形態に係るヘルメット用表示具を示す図である。
【図２】本考案の実施の形態に係るヘルメット用表示具の使用状態を示す図である。
【図３】本考案の実施の形態に係るヘルメット用表示具に用いる識別ラベルおよび識別ラベルホルダーを示す平面図である。
【図４】本考案の実施の形態に係るヘルメット用表示具に用いる識別ラベルおよび識別ラベルホルダーを示す断面である。
【考案を実施するための形態】
【００１４】
以下、本考案の実施形態を図１〜図４に基づいて説明する。
図１は、本考案の実施形態に係るヘルメット用表示具を示す図である。
図１に示すように、この実施形態に係るヘルメット用表示具は、第１バンド部（バンド部）１および第２バンド部（バンド部）２の両端にフック３を設けてヘルメットＨに係止するヘルメット用表示具である。フック３は、断面形状が略Ｌ字状に形成されており、ヘルメット１の縁を差し込むことによって、フック３の内面がヘルメットＨの縁をしっかりと押さえることができるようになっている。第２バンド部２には、ヘルメット着用者の識別ラベル４が取り付けられている。
【００１５】
この実施形態によれば、第１バンド部１は幅が広く、第２バンド部は幅が狭い帯状体からなるので、図２に示すように、第１バンド部１と第２バンド部２との間隔が広がってヘルメットＨに密着するので使用中にヘルメット用表示具がヘルメットＨから脱落しにくい。
【００１６】
また、第２バンド部２にヘルメット着用者の識別ラベル４が取り付けられているので、識別ラベル４を第２バンド部２とともに取り付け取り外すことができる。
なお、識別ラベル４は、第２バンド部２に直接取り付けてもよいが、図１に示すように、識別ラベルホルダー５に挿入することが好ましい。
【００１７】
図３、図４は、本考案の実施の形態に係るヘルメット用表示具に用いる識別ラベル４および識別ラベルホルダー５を示す平面図および断面図である。
図３に示すように、複数の識別ラベルホルダー５が一列に並べられて１枚の帯状に配置されて形成されており、各識別ラベルホルダー５は、使用するときに１枚ずつ切り取って使うようにすることが好ましい。
【００１８】
複数の識別ラベルホルダー５が帯状に配置されたシートは、帯状の上下２枚のフィルムを重ね合わせて、幅方向両端部を熱圧着するとともに、隣接する識別ラベルホルダー５，５同士の間を僅かな間隔をおいて幅方向に延びる２本の線状に熱圧着することにより、形成されている。後者の２本の線状の熱圧着は、隣接する識別ラベルホルダー５，５同士を長手方向に引き離すように引っ張ると、一方の線状の熱圧着については表側及び裏側の一方のフィルムのみが切断され、他方の線状の熱圧着については表側及び裏側の他方のフィルムのみが切断されるようになっている。
【００１９】
これらの２本の線状の部分は、切れ易いように圧着されている。これにより、分離された識別ラベルホルダー５の長手方向の両端部が開放状態になるとともに、各開放端部は、表側のフィルムおよび裏側のフィルムの一方が他方よりも長手方向に突出するようになっている。開放端部が表側のフィルムおよび裏側のフィルムの一方が他方よりも長手方向に突出するような構成になっていると、識別ラベル４を開放端部から識別ラベルホルダー５に挿入する際に、開放端部を指で容易に広げることができるので、識別ラベル４の挿入および取り出しを容易に行うことができる。
【００２０】
識別ラベルホルダー５を使用するには、図３に示すように、まず、複数の識別ラベルホルダー５が一列に並べられて１枚の帯状に配置されて形成された状態で、識別ラベル４を各識別ラベルホルダー５上に取り付ける。例えば、識別ラベル４に裏面に粘着剤が形成されており、この識別ラベル４を各識別ラベルホルダー５上に貼り付けていく。
次いで、各識別ラベルホルダー５を切り離す。
次いで、図４に示すように、各識別ラベルホルダー５に第２バンド部２を挿入して貫通させる。
【００２１】
識別ラベル４としては、例えば、職長、作業主任者等の職位を表示するものや、あるいは誘導員、玉掛者等の作業内容を表すものなどがある。
【００２２】
第１バンド部１および第２バンド部２は、スポンジ状の伸縮性のある素材を用いることにより、ヘルメットＨとフック３とを密着させてしっかりと固定することができる。また、フック３は、弾性を有するプラスチックを用いることにより、バンド部１，２のテンションによってどのようなヘルメットＨにもフィットさせることができる。
【００２３】
なお、本実施形態においては、バンド部を第１バンド部１および第２バンド部によって構成しているが、３本以上のバンド部にしてもよい。
【符号の説明】
【００２４】
１  第１バンド部（バンド部）
２  第２バンド部（バンド部）
３  フック
４  識別ラベル
５  識別ラベルホルダー
【図１】
0003203854.tif 000003
【図２】
0003203854.tif 000004
【図３】
0003203854.tif 000005
【図４】
0003203854.tif 000006